(57)【要約】【課題】屋根材を長期期間使用し劣化が著しくなり、屋根材の重なり部の空間が増しても、屋根材の縁切り部材が離脱しない、更に、屋根材の縁切り部材の周囲に滞留した雨水等を一層積極的に排水し、通気性を改善する、また、屋根材の重なり部に挿入された屋根材の縁切り部材の外周部に人が足で踏む等の荷重が加わっても屋根材の破損が発生しない屋根材の縁切り部材を提供する。【解決手段】上下屋根材の重なり部に挿入される板状の軸、前記軸の先方に連設する三角板状の先端部からなる本体と、前記軸の他端に立設し、上屋根材の下端部に引っ掛り、挿入時の位置決めとなるストッパーと、前記上下屋根材の重なり部から離脱しないため、一端が前記先端部に接続するとともに他端が本体より下方又は上方に突出し弾性を備え、前記軸と空間をあけ反挿入方向に連設する板状の左右の離脱防止片と、からなることを特徴とする屋根材の縁切り部材の構成とした。【選択図】図１８
2018066166.tif 000002
【特許請求の範囲】
【請求項１】
屋根の補修のため再塗装した後、上下屋根材の重なり部に挿入されたまま使用され、前記重なり部に常時空間を形成し、上下屋根材の間に侵入した雨水を排水させる屋根材の縁切り部材であって、
前記屋根材の重なり部に挿入される板状の軸、前記軸の先方に連設する三角板状の先端部、前記先端部の両端に前記軸と空間をあけ反挿入方向に連設する板状の左右挿入部からなる本体と、
前記左右挿入部と空間をあけ前記軸の他端に立設し、前記上屋根材の下端部に引っ掛り、挿入時の位置決めとなるストッパーと
前記上下屋根材の重なり部から離脱しないため、一端が前記先端部に接続するとともに他端が本体より下方又は上方に突出し、弾性を備えた板状の左右の離脱防止片と、
からなることを特徴とする屋根材の縁切り部材。
【請求項２】
前記ストッパーの底部の前記軸と接していない部分が段差を持って一段窪んだ排水溝を備え、前記上下屋根材の重なり部に挿入されたときに、前記下屋根材との間にスペースを形成することを特徴する請求項１に記載の屋根材の縁切り部材。
【請求項３】
前記離脱防止片の屋根材と接する部位に凹凸形状と、前記軸底部に挿入方向に向かって平面三角形状で断面三角形状又は楔形状の離脱防止用凸部とを設けたことを特徴とする請求項１又は請求項２に記載の屋根材の縁切り部材。
【請求項４】
前記軸が、左右軸の２本で、前記左右軸の間に位置し平面から底面に貫通する穴を有することを特徴とする請求項１〜請求項３の何れか１項に記載の屋根材の縁切り部材。
【請求項５】
前記先端部は、平面反挿入方向が厚肉で、先端および側面方向に近づくに従って傾斜形状となることを特徴とする請求項１〜請求項４の何れか１項に記載の屋根材の縁切り部材。
【請求項６】
屋根の補修のため再塗装した後、上下屋根材の重なり部に挿入されたまま使用され、前記重なり部に常時空間を形成し、上下屋根材の間に侵入した雨水を排水させる屋根材の縁切り部材であって、
前記屋根材の重なり部に挿入される板状の軸、前記軸の先方に連設する三角板状の先端部からなる本体と、
前記軸の他端に立設し、前記上屋根材の下端部に引っ掛り、挿入時の位置決めとなるストッパーと
前記上下屋根材の重なり部から離脱しないため、一端が前記先端部に接続するとともに他端が本体より下方又は上方に突出し、弾性を備え、前記軸と空間をあけ反挿入方向に連設する板状の左右の離脱防止片と、からなることを特徴とする屋根材の縁切り部材。
【請求項７】
前記離脱防止片の内部に空間である収納部を備え、前記収納部において、一端が前記先端部に接続するとともに他端が本体より下方又は上方に突出し、弾性を備えた板状の第二離脱防止片を備えることを特徴とする請求項６に記載の屋根材の縁切り部材。
【請求項８】
前記離脱防止片と、前記第二離脱防止片とが異なる屈曲角で前記本体に連設することを特徴とする請求項７に記載の屋根材の縁切り部材。
【請求項９】
前記左右の離脱防止片の内側以外が一段薄く成形されたことを特徴とする請求項６〜請求項８の何れか１項に記載の屋根材の縁切り部材。
【請求項１０】
前記離脱防止片の上面又は底面に離脱防止用の凹凸形状が設けられたことを特徴とする請求項６〜請求項９の何れか１項に記載の屋根材の縁切り部材。
【請求項１１】
前記離脱防止片と本体との屈曲部に穿設された穴を備えることを特徴とする請求項１〜請求項１０の何れか１項に記載の屋根材の縁切り部材。
【発明の詳細な説明】
【技術分野】
【０００１】
本発明は、屋根材の補修を目的に再塗装した後、屋根材の重なり部の塗膜部を縁切りする屋根材の縁切り部材に関し、より詳しくは、家屋の屋根に葺かれる板状の屋根材の塗装後、上下屋根材の重なり部に挿入され、重なり部の塗膜を切断し、重なり部に常時空間を形成し、屋根材間に侵入した雨水を積極的に排水させる屋根材の縁切り部材に関する、さらなる改良発明である。
【背景技術】
【０００２】
従来の屋根材、特に平板スレートの屋根材は、図１２に示すように、屋根の野地板１４の上に、防水シート１２を貼り、軒側端部から下屋根材１０ｂを釘などの留具１３で固定し、その上に上屋根材１０ａを重ねながら屋根上部に向け貼っていた。
【０００３】
しかし、家屋の築年数が経過すると、屋根材１０の塗膜１１が劣化するとともに、屋根材１０の下端部が反り返り、防水性が失われるため、屋根材１０の葺き替え、或いは屋根材１０の再塗装が必要であった。概ね、７−８年経過で、再塗装の時期となる。
【０００４】
再塗装の際、屋根材１０の単に塗装を行うと、塗料により上下屋根材１０ａ、１０ｂの重なり部１０ｃ（屋根材の水平方向の重なり部が）が塗膜１１で密閉され、屋根材の縦方向の繋なぎ合わせ部から侵入した雨水などは重なり部１０ｃから下方部へ排水されることなく、雨水などの水分の排水性が悪化する。その結果、滞留した雨水等が長期間放置され、野地板１４を腐蝕、破損させ、さらには天井の雨漏りに繋がる。
【０００５】
それを改善するため、屋根材の重なり部１０ｃの塗膜１１によるふさがり部分を切断する特許文献１〜４に記載の屋根材の縁切り部材（材）が開発されている。
【０００６】
これら屋根材の縁切り部材は、屋根材表面の塗装後、重なり部１０ｃに挿入することにより、雨水の排水性を確保するものである。
【０００７】
例えば、特許文献３の屋根材の縁切り部材１５は、図１０に示すように、屋根の補修のため再塗装した後、屋根材の重なり部１０ｃに打ち込んだまま使用する屋根材の縁切り部材であって、前記屋根材の重なり部１０ｃに挿入する多角形状の板状をなす本体１６と、前記本体１６には該本体１６が屋根の重なり部１０ｃから離脱しないため本体１６の底部に弾性体に凹凸形状を形成した収納部１６ｃに収納可能な脱離防止片１６ａおよび離脱防止用凸形状部と、前記本体１６の一部に屋根材の重なり部１０ｃに侵入してくる雨水等を溜める排水溜り用空間１６ｂと、前記本体１６の手前部に所定の位置決めをするストッパー１７と、前記ストッパー１７の下部に前記空間１６ｂに溜まった雨水等を排水する排水溝とからなることを特徴とする。
【０００８】
図１１に、特許文献３に記載の屋根材の縁切り部材１５の屋根材への使用状態を示した。重なり部１０ｃに屋根材の縁切り部材１５を挿入すると、重なり部１０ｃに、常時空間を形成し、屋根材間に侵入した雨水を排水溝１７ａから積極的に排水できるというものである。排水溝１７ａは、ストッパー１７と、本体１６が段差１７ｂを設けた連設されるため形成される。
【０００９】
しかしながら、特許文献３に記載の屋根材の縁切り部材１５では、上下屋根材１０ａ、１０ｂ間の雨水を積極的に排水することができるものの、屋根材の縁切り部材１５周辺に、上下屋根材１０ａ、１０ｂと屋根材の縁切り部材１５との間に、雨水が滞留し続けるとの現象がみられた。
【００１０】
その原因を探求したところ、屋根材の縁切り部材１５が、板状の本体１６を有すること、ストッパー１７が本体１６に対して、垂直に起立していることに起因することの結論を得た。
【００１１】
そこで、発明者は、屋根材を長期期間使用し劣化が著しくなり、屋根材の重なり部１０ｃの空間が増しても、屋根材の縁切り部材が離脱せず、更に縁切り部材の周囲に滞留した雨水を積極的に排水し、また屋根材の重なり部１０ｃに挿入された縁切り部材の外周部に人が足で踏む等の荷重が加わっても屋根材の破損が発生しない縁切り部材である、特許文献４の屋根材の縁切り材を開発した。
【００１２】
他方、特許文献３の形状を維持しつつ、排水性、通気性の更なる改良が望まれていた。
【先行技術文献】
【特許文献】
【００１３】
【特許文献１】特開２００５−１２０８０１号公報
【特許文献２】特開２００６−１２５１７３号公報
【特許文献３】特開２００７−０５１５２１号公報
【特許文献４】特開２０１０−０２４７５９号公報
【発明の概要】
【発明が解決しようとする課題】
【００１４】
そこで、本発明は、屋根材を長期期間使用し劣化が著しくなり、屋根材の重なり部の空間が増しても、屋根材の縁切り部材が離脱しない、更に、屋根材の縁切り部材の周囲に滞留した雨水等を一層積極的に排水し、通気性を改善する、また、屋根材の重なり部に挿入された屋根材の縁切り部材の外周部に人が足で踏む等の荷重が加わっても屋根材の破損が発生しない屋根材の縁切り部材を提供することを目的とする。
【課題を解決するための手段】
【００１５】
本発明は、上記課題を解決するために、
（１）
屋根の補修のため再塗装した後、上下屋根材の重なり部に挿入されたまま使用され、前記重なり部に常時空間を形成し、上下屋根材の間に侵入した雨水を排水させる屋根材の縁切り部材であって、
前記屋根材の重なり部に挿入される板状の軸、前記軸の先方に連設する三角板状の先端部、前記先端部の両端に前記軸と空間をあけ反挿入方向に連設する板状の左右挿入部からなる本体と、
前記左右挿入部と空間をあけ前記軸の他端に立設し、前記上屋根材の下端部に引っ掛り、挿入時の位置決めとなるストッパーと
前記上下屋根材の重なり部から離脱しないため、一端が前記先端部に接続するとともに他端が本体より下方又は上方に突出し、弾性を備えた板状の左右の離脱防止片と、
からなることを特徴とする屋根材の縁切り部材。
（２）
前記ストッパーの底部の前記軸と接していない部分が段差を持って一段窪んだ排水溝を備え、前記上下屋根材の重なり部に挿入されたときに、前記下屋根材との間にスペースを形成することを特徴する（１）に記載の屋根材の縁切り部材。
（３）
前記離脱防止片の屋根材と接する部位に凹凸形状と、前記軸底部に挿入方向に向かって平面三角形状で断面三角形状又は楔形状の離脱防止用凸部とを設けたことを特徴とする（１）又は（２）に記載の屋根材の縁切り部材。
（４）
前記軸が、左右軸の２本で、前記左右軸の間に位置し平面から底面に貫通する穴を有することを特徴とする（１）〜（３）の何れか１に記載の屋根材の縁切り部材。
（５）
前記先端部は、平面反挿入方向が厚肉で、先端および側面方向に近づくに従って傾斜形状となることを特徴とする（１）〜（４）の何れか１に記載の屋根材の縁切り部材。
（６）
屋根の補修のため再塗装した後、上下屋根材の重なり部に挿入されたまま使用され、前記重なり部に常時空間を形成し、上下屋根材の間に侵入した雨水を排水させる屋根材の縁切り部材であって、
前記屋根材の重なり部に挿入される板状の軸、前記軸の先方に連設する三角板状の先端部からなる本体と、
前記軸の他端に立設し、前記上屋根材の下端部に引っ掛り、挿入時の位置決めとなるストッパーと
前記上下屋根材の重なり部から離脱しないため、一端が前記先端部に接続するとともに他端が本体より下方又は上方に突出し、弾性を備え、前記軸と空間をあけ反挿入方向に連設する板状の左右の離脱防止片と、からなることを特徴とする屋根材の縁切り部材。
（７）
前記離脱防止片の内部に空間である収納部を備え、前記収納部において、一端が前記先端部に接続するとともに他端が本体より下方又は上方に突出し、弾性を備えた板状の第二離脱防止片を備えることを特徴とする（６）に記載の屋根材の縁切り部材。
（８）
前記離脱防止片と、前記第二離脱防止片とが異なる屈曲角で前記本体に連設することを特徴とする（７）に記載の屋根材の縁切り部材。
（９）
前記左右の離脱防止片の内側以外が一段薄く成形されたことを特徴とする（６）〜（８）の何れか１に記載の屋根材の縁切り部材。
（１０）
前記離脱防止片の上面又は底面に離脱防止用の凹凸形状が設けられたことを特徴とする（６）〜（９）の何れか１に記載の屋根材の縁切り部材。
（１１）
前記離脱防止片と本体との屈曲部に穿設された穴を備えることを特徴とする（１）〜（１０）の何れか１に記載の屋根材の縁切り部材。
の構成とした。
【発明の効果】
【００１６】
本発明は以上の構成であるから以下の効果を有する。
１）
特許文献３と同様に、屋根の重なり部に打ち込んでも、本体端部に設けたストッパーで確実に所定の位置に設定される。更に、本体底部に設けた弾性体からなる離脱防止片により、屋根材が経年変化で屋根材間の空間（隙間）が所定量より増しても、屋根材の縁切り部材は当初の部位に止まり、常時雨水等の排水を行い、野地板等の腐蝕、破損を防止する。さらに、ストッパーと左右挿入部が分離され、空間を備えるため、屋根材の縁切り部材周辺の雨水の滞留が低減し、特許文献３の縁切り部材より一層排水性、通気性が改善されている。
２）
更に、離脱防止片が本体に併設された弾性体からなる離脱防止片には凹凸を設けており、更に、離脱防止用凸部も併設されているため、屋根の重なり部の隙間が増加した上、風水、地震等で振動が加わっても縁切り部材は屋根の重なり部から離脱することはない。また、本縁切り部材は雨水等が本体中央部に設けた空間部に流入した時、ストッパー底部に設けた排水溝から排出されるようになっている。このため、多量の雨水等の排水は無論、雨水等が屋根の重なり部に滞留することが一層無いため、毛細管現象により、雨水等が野地板に浸入し腐蝕、破損させることも排除できる。
３）
また、本体中央部が厚肉で本体先端および側面方向が薄肉となる傾斜形状とっているため挿入しやすく、また屋根材の重なり部に挿入された縁切り部材の外周部に、人等が足で踏む等、局部的に荷重が加わっても屋根材の破損は防止できる。
４）
実施例３の形態の離脱防止片であれば、屋根材間の空間（隙間）を保持力が高いうえ、全体の強度も高く、成形し易い。また、実施例４の形態であれば、離脱防止片が二種類あり、屋根材間の空間（隙間）の多段階の保持力を保持しつつ、収納部が空間となり、排出性、通気性が一層優れている。１つの離脱防止片が、破損などで機能しなくなった場合でも、離脱防止機能を維持することができる。本体の厚みを調節した場合に、保持強度の調節、維持、強化、低減するときなどに有効である。
５）
離脱防止片、又は第二離脱防止片と、本体との接続部に穴を穿設することで、屈曲強度の調節することできるとともに、排水性を向上させることができる。
６）
実施例５の形態であれば、離脱防止片の薄い部分（肉薄部）が一層の排水性、通気性を向上させ、厚い部分と異なる弾性力を付与し、肉薄部を備えることで、さらに屋根材修繕作業時に足で屋根材の縁切り部材位置を踏んだとしても屋根材が割れにくい。荷重の局部集中を回避させることができる。他方、離脱防止片の一段厚部分（肉厚部）で屋根材の縁切り部材の強度を確保することができる。離脱防止片の上面に凹凸形状を設けることで、屋根材が一層抜けにくくなる。
【図面の簡単な説明】
【００１７】
【図１】本発明である屋根材の縁切り部材の第一の実施形態の説明図で、（Ａ）正面図、（Ｂ）背面図、（Ｃ）平面図、（Ｄ）底面図、（Ｅ）左側面図、（Ｆ）右側面図である。
【図２】本発明である屋根材の縁切り部材の図１（Ｃ）の断面図で、（Ａ）Ａ−Ａ’位断面図、（Ｂ）Ｂ−Ｂ’ 位断面図である。
【図３】本発明である屋根材の縁切り部材の図１の斜視図で、（Ａ）平面斜視図、（Ｂ）底面斜視図である。
【図４】本発明である屋根材の縁切り部材の第二の実施形態の説明図で、（Ａ）正面図、（Ｂ）背面図、（Ｃ）平面図、（Ｄ）底面図、（Ｅ）左側面図、（Ｆ）右側面図である。
【図５】本発明である屋根材の縁切り部材の図４（Ｃ）の断面図で、（Ａ）Ａ−Ａ’位断面図、（Ｂ）Ｂ−Ｂ’位断面図である。
【図６】本発明である屋根材の縁切り部材の図４の斜視図で、（Ａ）平面斜視図、（Ｂ）底面斜視図である。
【図７】本発明である屋根材の縁切り部材の第一の実施形態の使用状態図である。
【図８】本発明である屋根材の縁切り部材の使用状態図７Ｃ−Ｃ’位断面図である。
【図９】本発明である屋根材の縁切り部材の使用状態図７Ｄ−Ｄ’位断面図である。
【図１０】従来の屋根材の縁切り部材の斜視図である。
【図１１】従来の屋根材の縁切り部材の使用状態の断面図である。
【図１２】再塗装後の屋根の断面図である。
【図１３】本発明である屋根材の縁切り部材の第三の実施形態の説明図で、（Ａ）正面図、（Ｂ）背面図、（Ｃ）平面図、（Ｄ）底面図、（Ｅ）左側面図、（Ｆ）右側面図である。
【図１４】本発明である屋根材の縁切り部材の図１３（Ｃ）の断面図で、（Ａ）Ａ−Ａ’位断面図、（Ｂ）Ｂ−Ｂ’位断面図である。
【図１５】本発明である屋根材の縁切り部材の図１３の斜視図で、（Ａ）平面斜視図、（Ｂ）底面斜視図である。
【図１６】本発明である屋根材の縁切り部材の第四の実施形態の説明図で、（Ａ）正面図、（Ｂ）背面図、（Ｃ）平面図、（Ｄ）底面図、（Ｅ）左側面図、（Ｆ）右側面図である。
【図１７】本発明である屋根材の縁切り部材の図１６（Ｃ）の断面図で、（Ａ）Ａ−Ａ’位断面図、（Ｂ）Ｂ−Ｂ’位断面図である。
【図１８】本発明である屋根材の縁切り部材の図１６の斜視図で、（Ａ）平面斜視図、（Ｂ）底面斜視図である。
【図１９】本発明である屋根材の縁切り部材の第五の実施形態の説明図で、（Ａ）正面図、（Ｂ）背面図、（Ｃ）平面図、（Ｄ）底面図、（Ｅ）左側面図、（Ｆ）右側面図である。
【図２０】本発明である屋根材の縁切り部材の図１９（Ｃ）の断面図で、（Ａ）Ａ−Ａ’位断面図、（Ｂ）Ｂ−Ｂ’位断面図である。
【図２１】本発明である屋根材の縁切り部材の図１９の斜視図で、（Ａ）平面斜視図、（Ｂ）底面斜視図である。
【００１８】
以下、添付の図面を参照し、本発明の実施の形態について詳細に説明する。なお、本発明は下記実施例に限定されるものではない。
【実施例１】
【００１９】
図１−３に示すように、本発明の一例である屋根材の縁切り部材１は、本体２と、ストッパー３、左右の離脱防止片４、５からなり、屋根の補修のため再塗装した後、上下屋根材１０ａ、１０ｂの重なり部１０ｃに挿入されたまま使用され、重なり部１０ｃに常時空間を形成し、上下屋根材１０ａ、１０ｂ間に侵入した雨水を排水させる。屋根材の縁切り部材１の素材は、ポリカーボネートなどの樹脂が好適である。
【００２０】
本体２は、板状の左軸２ｄ及び右軸２ｅと、左右軸２ｄ、２ｅの間に位置し、平面から底面に貫通する穴６と、左右軸２ｄ、２ｅの先方に連設する三角板状の先端部２ａと、先端部２ａの両端に左右軸２ｄ、２ｅから空間６ａ、６ｂをあけ、反挿入方向に連設する板状の左挿入部２ｂ及び右挿入部２ｃからなり、全体として平面碇状で、屋根材１０の重なり部１０ｃに挿入される。
【００２１】
先端部２ａは、平面反挿入方向が厚肉で、先端および側面方向に近づくに従って傾斜形状となる。先端部２ａは、挿入方向に向け薄くなるテーパー形状であるあるので、本体２の重なり部１０ｃへの挿入が容易になる。また、同一肉厚に比べ、人が作業時に、屋根材の縁切り部材１の直上を足等で踏む等の過度の荷重が加わった時でも、屋根材１０は亀裂、破損せず、雨水等の浸入により野地板１４の腐蝕、破損を防止する。
【００２２】
左右軸２ｄ、２ｅの底面には、挿入方向に向かって平面三角形状で断面三角形状（又は楔形状）の離脱防止用凸部７が設けられ、重なり部１０ｃに係止し、脱落防止の作用を担う。
【００２３】
ストッパー３は、左右挿入部２ｂ、２ｃと空間をあけ、左右軸２ｄ、２ｅの他端に立設し、上屋根材１０ａの下端部に引っ掛り、挿入時の適正位置での位置決めとなる。ストッパー３の底部の左右軸２ｄ、２ｅと接していない部分が段差８を持って一段窪んだ排水溝３ａ（穴６の位置）、排水溝３ｂ（空間６ａに連設）、排水溝３ｃ（空間６ｂに連設）を備える。これにより、上下屋根材１０ａ、１０ｂの重なり部１０ｃに、本体２が挿入されたとき、下屋根材１０ｂとの間にスペース９（図８参照）を形成し、重なり部１０ｃ内の雨水の排水性、通気性を向上させる。
【００２４】
左右の離脱防止片４、５は、上下屋根材１０ａ、１０ｂの重なり部１０ｃから、屋根材の縁切り部材１が離脱しないため、一端が先端部２ａに尾部に接続するとともに他端が本体より下方又は上方に突出し、弾性を備えた板状体である。離脱防止片４、５の底面には、屋根材１０と接する部位に凹凸形状４ａ、５ａが設けられ、楔となり屋根材の縁切り部材１の脱落の防止の作用を有する。屋根材の重なり部１０ｃの隙間が想定以上に増加しても、離脱防止片４、５は、その弾性により、屋根材の重なり部１０ｃの隙間に対し、充分追従できるよう設定されているので、係止され、本発明が重なり部１０ｃから離脱することはない。
【実施例２】
【００２５】
図４−６に示すように、本発明の一例である屋根材の縁切り部材２１は、本体２２と、ストッパー２３、左右の離脱防止片４、５からなり、屋根の補修のため再塗装した後、上下屋根材１０ａ、１０ｂの重なり部１０ｃに挿入されたまま使用され、重なり部１０ｃに常時空間を形成し、上下屋根材１０ａ、１０ｂ間に侵入した雨水を排水させる。
【００２６】
実施例１において、左右軸２ｄ、２ｅが、軸２２ａの１本に置き換えられ、ストッパー３がストッパー２３に置き換えられたものである。軸２２ａが１本であるので、ストッパー２３の底部には、実施例１の穴６の位置に相当する排水溝３ａがない。離脱防止用凸部７は、軸２２ａに２つ設けられている。その他は、実施例１と同様である。
【００２７】
図７は、本発明である屋根材の縁切り部材の使用状態図である。上下に位置する各屋根材１０の重なり部１０ｃに、屋根材１枚につき、屋根材の縁切り部材１を１〜３個程度挿入する。特に、上屋根材１０ａ同士が接合１０ｄする部分に挿入すると、屋根材１０間に侵入した雨水を効率よく排出することができる。
【００２８】
尚、屋根材１０の重なり部１０ｃに屋根材の縁切り部材１を挿入するには、屋根材の縁切り部材１の先端部２ａの先端を屋根材１０の重なり部１ ０ｃに少し差し入れ、その後手動あるいは冶具でストッパー３の反挿入側面に荷重をかける、これにより屋根材の縁切り部材１を重なり部１０ｃに容易に挿入することができる。
【００２９】
図８は本発明である屋根材の縁切り部材の使用状態を示す図７のＣ−Ｃ’位断面図（屋根材の縁切り部材１の図１Ａ−Ａ’断面に相当する断面図である）、図９は本発明である屋根材の縁切り部材の使用状態を示す図７のＤ−Ｄ’位断面図（屋根材の縁切り部材１の図１Ｂ−Ｂ’断面に相当する断面図である）である。
【００３０】
屋根材の縁切り部材１を重なり部１０ｃに挿入すると、上下屋根材１０ａ、１０ｂからの圧力で、離脱防止片４、５は空間６ａ（６ｂ）に収納されつつ、その弾性力及び凹凸形状４ａ（５ａ）によって、下屋根材１０ｂに係止し、屋根材の縁切り部材１を重なり部１０ｃに留まる。
【００３１】
また、図９で明らかなように、ストッパー３と下屋根材１０ｂとの間に排水溝３ｃ（３ａ、３ｂ）が開口しているため、雨水を上下屋根材１０ａ、１０ｂの間から外部に排出することができる。さらに、各挿入部近傍に集中した雨水は、左右挿入部２ｂ、２ｃと、ストッパー３が連結することなく、分断されているため、空間６ａ、６ｂが形成され、本体２の周辺の滞留が少なくなる。これにより、屋根材の縁切り部材１近傍に集中した僅かな雨水が減少し、排水性が改善された。
【実施例３】
【００３２】
図１３−１５に示すように、本発明の一例である屋根材の縁切り部材３１は、実施例２において、左右挿入部２ｂ、２ｃと、左右の離脱防止片４、５がそれぞれ、一体となり、屈曲したようなもので、屋根の補修のため再塗装した後、上下屋根材１０ａ、１０ｂの重なり部１０ｃに挿入されたまま使用され、重なり部１０ｃに常時空間を形成し、上下屋根材１０ａ、１０ｂの間に侵入した雨水を排水させる屋根材の縁切り部材である。
【００３３】
具体的には、屋根材の重なり部１０ｃに挿入される板状の軸３２ｄ、軸３２ｄの先方に連設する三角板状の先端部３２ａからなる本体３２と、軸３２ｄの他端に立設し、上屋根材１０ａの下端部に引っ掛り、挿入時の位置決めとなるストッパー３３と、上下屋根材１０ａ、１０ｂの重なり部１０ｃから離脱しないため、一端が先端部３２ａに接続するとともに他端が本体３２より下方又は上方に突出し、弾性を備え、軸３２ｄと空間３６ａ、３６ｂをあけ、反挿入方向に連設する板状の左右の離脱防止片３４、３５とからなる。
【実施例４】
【００３４】
図１６−１８に示すように、本発明の一例である屋根材の縁切り部材４１は、実施例３において、第二離脱防止片４４ａ、４５ａ、軸に穴４６を備えるものに等しい。
【００３５】
具体的には、屋根材の縁切り部材４１は、
屋根材の重なり部１０ｃに挿入される板状の軸４２ｄ、軸４２ｄの先方に連設する三角板状の先端部４２ａからなる本体４２と、
軸４２ｄの他端に立設し、上屋根材１０ａの下端部に引っ掛り、挿入時の位置決めとなるストッパー４３と、
上下屋根材１０ａ、１０ｂの重なり部１０ｃから離脱しないため、一端が先端部４２ａに接続するとともに他端が本体４２より下方又は上方に突出し、弾性を備え、軸４２ｄと空間４６ａ、４６ｂをあけ、反挿入方向に連設する板状の左右の離脱防止片４４、４５と、実施例３の離脱防止片３４、３５に相当する離脱防止片４４、４５の内部に空間である収納部４６ｃ、４６ｄを備え、収納部４６ｃ、４６ｄにおいて、一端が先端部４２ａに接続するとともに他端が本体より下方又は上方に突出し、弾性を備えた板状の第二離脱防止片４４ａ、４５ａとからなる。
【００３６】
離脱防止片４４、４５、さらに第二離脱防止片４４ａ、４５ａは、その先端が下屋根材１０ｂにクサビのように刺さり、上下屋根材１０ａ、１０ｂの重なり部１０ｃの隙間から屋根材の縁切り部材４１の離脱を防止する。さらに、屋根材の劣化が進行し、上下屋根材１０ａ、１０ｂの重なり部１０ｃの隙間が広がった場合で、第二離脱防止片４４ａ、４５ａのクサビ作用が機能しなくなった場合でも、脱離防止片４４、４５の先端が下屋根材１０ｂにクサビのように刺さり、屋根から屋根材の縁切り部材４１の離脱を防止する。屋根材の縁切り部材４１は、離脱防止片４４、４５、さらに第二離脱防止片４４ａ、４５ａの二段階のバネ付勢を備えるため、上下屋根材１０ａ、１０ｂの重なり部１０ｃの隙間の広範な開口度に追随できる。実施例５でも同様である。
【００３７】
また。ストッパー４３の底部には段差４８を持って一段窪んだ排水溝４３ａを備える。そして、軸４３を貫通する穴４６に連通する。
【実施例５】
【００３８】
図１９−２１に示すように、本発明の一例である屋根材の縁切り部材５１は、実施例４において、特に、離脱防止片の形状が異なる。すなわち、
（１）左右の離脱防止片の内側以外が一段薄く成形されている点、
（２）離脱防止片の上面又は底面に離脱防止用の凹凸形状が設けられた点、
において異なる。また、穴４６、排水溝４３ａを備えないが、もちろん、それらを備えることで排水性が向上する。
【００３９】
具体的には、屋根材の縁切り部材５１は、
屋根材の重なり部１０ｃに挿入される板状の軸５２ｄ、軸５２ｄの先方に連設する三角板状の先端部４２ａからなる本体５２と、
軸５２ｄの他端に立設し、上屋根材１０ａの下端部に引っ掛り、挿入時の位置決めとなるストッパー５３と、
上下屋根材１０ａ、１０ｂの重なり部１０ｃから離脱しないため、一端が先端部５２ａに接続するとともに他端が本体５２より下方又は上方に突出し、弾性を備え、軸５２ｄと空間５６ａ、５６ｂをあけ、反挿入方向に連設する板状の左右の離脱防止片５４、５５と、
離脱防止片５４、５５の内部に空間である収納部５６ｃ、５６ｄを備え、収納部５６ｃ、５６ｄにおいて、一端が先端部５２ａに接続するとともに他端が本体より下方又は上方に突出し、弾性を備えた板状の第二離脱防止片５４ａ、５５ａとからなり、
さらに、
（１）左右の離脱防止片の内側以外が段差５４ｃ、５４ｄ、５５ｃ、５５ｄを境に一段薄く成形された（肉薄部）
（２）離脱防止片の上面又は底面に離脱防止用の凹凸形状５４ｂ、５５ｂが設けられている。
【００４０】
なお、軸、離脱防止片、ストッパーは、相互に置換可能で、各排水穴も各実施例において、相互に採用することができる。
【符号の説明】
【００４１】
１      屋根材の縁切り部材
２      本体
２ａ    先端部
２ｂ    左挿入部
２ｃ    右挿入部
２ｄ    左軸
２ｅ    右軸
３      ストッパー
３ａ    排水溝
３ｂ    排水溝
３ｃ    排水溝
４      離脱防止片
４ａ    凹凸形状
５      離脱防止片
５ａ    凹凸形状
６      穴
６ａ    空間
６ｂ    空間
７      離脱防止用凸部
８      段差
９      スペース
１０    屋根材
１０ａ  上屋根材
１０ｂ  下屋根材
１０ｃ  重なり部
１０ｄ  接合
１１    塗膜
１２    防水シート
１３    留具
１４    野地板
１５    屋根材の縁切り部材
１６    本体
１６ａ  脱離防止片
１６ｂ  排水溜り用空間
１６ｃ  収納部
１７    ストッパー
１７ａ  排水溝
１７ｂ  段差
２１    屋根材の縁切り部材
２２    本体
２２ａ  軸
２３    ストッパー
３１    屋根材の縁切り部材
３２    本体
３２ａ  先端部
３２ｄ  軸
３３    ストッパー
３４    離脱防止片
３５    離脱防止片
３６ａ  空間
３６ｂ  空間
４１    屋根材の縁切り部材
４２    本体
４２ａ  先端部
４２ｄ  軸
４３    ストッパー
４３ａ  排水溝
４４    離脱防止弁
４４ａ  第二離脱防止片
４５    離脱防止弁
４５ａ  第二離脱防止片
４６    穴
４６ａ  空間
４６ｂ  空間
４６ｃ  収納部
４６ｄ  収納部
４８    段差
５１    屋根材の縁切り部材
５２    本体
５２ａ  先端部
５２ｄ  軸
５３    ストッパー
５４    離脱防止弁
５４ａ  第二離脱防止片
５４ｂ  凹凸形状
５４ｃ  段差
５４ｄ  段差
５５    離脱防止弁
５５ａ  第二離脱防止片
５５ｂ  凹凸形状
５５ｃ  段差
５５ｄ  段差
５６    穴
５６ａ  空間
５６ｂ  空間
５６ｃ  収納部
５６ｄ  収納部
【図１】
2018066166.tif 000003
【図２】
2018066166.tif 000004
【図３】
2018066166.tif 000005
【図４】
2018066166.tif 000006
【図５】
2018066166.tif 000007
【図６】
2018066166.tif 000008
【図７】
2018066166.tif 000009
【図８】
2018066166.tif 000010
【図９】
2018066166.tif 000011
【図１０】
2018066166.tif 000012
【図１１】
2018066166.tif 000013
【図１２】
2018066166.tif 000014
【図１３】
2018066166.tif 000015
【図１４】
2018066166.tif 000016
【図１５】
2018066166.tif 000017
【図１６】
2018066166.tif 000018
【図１７】
2018066166.tif 000019
【図１８】
2018066166.tif 000020
【図１９】
2018066166.tif 000021
【図２０】
2018066166.tif 000022
【図２１】
2018066166.tif 000023